(57)【要約】      （修正有）【課題】石の間から取り出し易いように、フィンを有して弾性材料からなる沈体を提供する。【解決手段】接続された線材を牽引しながら水中で沈降する沈体１は、本体１０、複数のフィン２０、少なくとも１つのリング７０および切欠き８０を含む。複数のフィン２０は、本体１０の外表面に設けられている。少なくとも１つのリング７０は、本体１０の両端に設けられている。切欠き８０は、少なくとも１つのリング７０と本体１０との間に設けられている。少なくとも１つのリング７０の一部は、本体１０に接続されている。複数のフィン２０は、外力により変形する柔軟性を備えるように、スリットがカット形成されていてもよい。【選択図】図１
0003156514.tif 000002
【実用新案登録請求の範囲】
【請求項１】
接続された線材を牽引しながら水中で沈降する沈体であって、
本体と、
前記本体の外部に設けられ、弾性を有する材料からなる複数のフィンと、を備えること、
を特徴とする沈体。
【請求項２】
前記フィンの材料は、ゴムおよび石粉を含むこと、
を特徴とする請求項１に記載の沈体。
【請求項３】
前記本体および前記フィンは、同じ材料からなること、
を特徴とする請求項１または２に記載の沈体。
【請求項４】
少なくとも１つのリングをさらに備えること、
を特徴とする請求項１から３のいずれか一項に記載の沈体。
【請求項５】
前記本体と前記リングとの間に設けられた切欠きをさらに備えること、
を特徴とする請求項４に記載の沈体。
【考案の詳細な説明】
【技術分野】
【０００１】
本考案は沈体に関し、特に、変形可能な弾性材料からなり、水中で沈降する沈体に関する。
【背景技術】
【０００２】
海域の様々な環境特性に対応できるように、市販されている仕掛けには様々な種類がある。釣り人は、釣る魚のタイプや海域の様々な環境特性に応じ、性能が異なる様々な仕掛けをつくって魚を釣り上げる機会を向上させることができる。
【０００３】
例えば、釣り人が底釣りを行うとき、海底にいる魚が釣れるように、錘により釣り針を海域底面まで牽引する。しかし、釣り人が釣竿を動かし、仕掛けを水中で移動させる際、錘が石に引っかかって仕掛けが損壊し、部品の一部を失って経済的損失が発生する虞があった。
【０００４】
現在市販されている錘の多くは、金属製で硬いため、硬い石に引っかかると抜け難くなり、回収を諦めなければならないことがあった。しかしその場合、その海域が汚染され、環境汚染を発生させる虞があった。
【０００５】
従来の錘は、仕掛けと分離したり、仕掛け全体を失ったり、釣竿が損壊したりする可能性があった。そのため、仕掛けを失うのではないかという不安からくる心理的プレッシャーを釣り人に与え、釣りの成果に悪影響を与えた。そのため、これによる経済的損失は計り知れなかった。
【０００６】
そのため、従来の問題点を解決することができる沈体が求められていた。
【考案の概要】
【考案が解決しようとする課題】
【０００７】
本考案の第１の目的は、石の間から取り出し易いように、フィンを有して弾性材料からなる沈体を提供することにある。本考案の第２の目的は、沈体とリングとの間に設けた切欠き箇所で切ることにより、石の間からスムーズに取り出す沈体を提供することにある。本考案の第３の目的は、仕掛けから沈体が外れても、環境を汚染させない沈体を提供することにある。
【課題を解決するための手段】
【０００８】
上述した課題を解決し、目的を達成するために、請求項１に記載の沈体は、接続された線材を牽引しながら水中で沈降する沈体であって、本体と、前記本体の外部に設けられ、弾性を有する材料からなる複数のフィンと、を備えること、を特徴とする。
【０００９】
また、請求項２に記載の沈体は、請求項１に記載の沈体において、前記フィンの材料は、ゴムおよび石粉を含むこと、を特徴とする。
【００１０】
また、請求項３に記載の沈体は、請求項１または２に記載の沈体において、前記本体および前記フィンは、同じ材料からなること、を特徴とする。
【００１１】
また、請求項４に記載の沈体は、請求項１から３のいずれか一項に記載の沈体において、少なくとも１つのリングをさらに備えること、を特徴とする。
【００１２】
また、請求項５に記載の沈体は、請求項４に記載の沈体において、前記本体と前記リングとの間に設けられた切欠きをさらに備えること、を特徴とする。
【考案の効果】
【００１３】
本考案の沈体は、フィンを有して弾性材料からなるため、石の間から取り出すことができる。
【図面の簡単な説明】
【００１４】
【図１】本考案の一実施形態による沈体を示す斜視図である。
【図２】本考案の変形例による沈体を示す斜視図である。
【図３】本考案の一実施形態による沈体を示す斜視図である。
【図４】本考案の一実施形態による沈体を示す断面図である。
【図５】本考案の一実施形態による沈体を示すもう一つの断面図である。
【考案を実施するための最良の形態】
【００１５】
以下に添付図面を参照して、この考案に係る沈体の各実施の形態を詳細に説明する。
【００１６】
図１および図３を同時に参照する。図１は、本考案の一実施形態による沈体を示す斜視図である。図３は、本考案のもう一つの実施形態による沈体を示す斜視図である。
【００１７】
図１に示すように、本実施形態の沈体１は、接続された線材を牽引しながら水中で沈降する。沈体１は、本体１０、複数のフィン２０、少なくとも１つのリング７０および切欠き８０を含む。複数のフィン２０は、本体１０の外表面に設けられている。少なくとも１つのリング７０は、本体１０の両端に設けられている。切欠き８０は、少なくとも１つのリング７０と本体１０との間に設けられている。少なくとも１つのリング７０の一部は、本体１０に接続されている。複数のフィン２０は、外力により変形する柔軟性を備えるように、スリットがカット形成されていてもよい（図２に示す）。複数のフィン２０は、本体１０の外部に均一に設けたり、図３に示すように、複数のフィン２０ａを本体１０ａの外部へ部分的に設けたりしてもよい。沈体１、１ａは、複数のフィン２０、２０ａを有するため、水中に入る際、魚が驚かないようにすることができる。
【００１８】
複数のフィン２０、２０ａは、弾性を有する材料（例えば、ゴム、石粉などの混合物）からなるが、これだけに限定されるわけではない。ゴム、石粉などの材料は、金属よりも環境を汚染させないため、釣り人は環境を保護することができる。
【００１９】
魚は、暗い場所または石の間に生息する習性を有するため、このような場所には魚が多い。釣り人は、このような場所に生息している魚を狙って釣りをするため、石に仕掛けが引っかかる虞があった。
【００２０】
このように、釣り人が底釣りを行ったりする際、石の間に沈体１、１ａが引っかかってしまう虞があった。しかし、本実施形態の複数のフィン２０、２０ａは、石の間に沈体１、１ａが引っかかっても、弾性を有する材料からなるため取り出し易く、完全な状態で回収することができる。さらに、弾性を有する材料からなる複数のフィン２０、２０ａを用いることにより、沈体１、１ａを海底に這わせるときの接触面積を増大させることもできる。
【００２１】
さらに、少なくとも１つのリング７０、７０ａは、本体１０、１０ａに設けられている。切欠き８０、８０ａは、少なくとも１つのリング７０、７０ａと本体１０、１０ａとの間に設けられている。少なくとも１つのリング７０、７０ａは、沈体１、１ａと部分的に接続されている。この構造により、石の間に沈体１、１ａが引っかかると、切欠き８０、８０ａの箇所が切れ、線材に繋がれたリング７０、７０ａを外して沈体１、１ａを水中に捨てることができる。これにより、仕掛けの残りの部分を回収することができる。
【００２２】
図４を参照する。図４は、本考案の一実施形態による沈体を示す断面図である。
【００２３】
本実施形態の沈体１の本体１０は、複数のフィン２０の材料と同じように、ゴム、石粉などの混合物からなるが、これだけに限定されるわけではない。石粉は比重が大きいため、沈降し易い上、水中に沈体１を捨てても、石粉が環境を汚染させる程度は金属よりも低い。
【００２４】
さらに、図５は、本考案の一実施形態による沈体を示すもう一つの断面図である。
【００２５】
沈体１の本体１０は、外部１１および内部１２から構成される。複数のフィン２０および本体１０の外部１１が所定の弾性を有するため、石の間に沈体１が引っかかったときに、弾性を利用して石の間から取り出すことができる。そのため、本実施形態では、石粉の濃度を高めたり、その他比重が高い材料を用いるだけで、沈体１の内部１２の比重を高めて沈体１の比重を大きくすることができる。このように、本体１０の外部１１は弾性を有する上、本体１０の内部１２を利用することにより沈体１全体の比重を高めることができる。
【００２６】
弾性を有する材料は、沈体１の最表層（即ち、複数のフィン２０の全体若しくは一部または本体１０の外部１１の全体若しくは一部）に塗布したり貼り合わせたりしてもよいが、これだけに限定されるわけではない。
【００２７】
このように、必要に応じて比重が異なる沈体１を製作することにより、沈体１が水中に沈降する状態を変えることができるため、環境および魚の習性の違いに対応した釣りを行うことができる。
【００２８】
ここで、沈体１の形状は、幾何学的形状（例えば、楕円形、長尺形、錐形、半球形など）だけに限定されるわけではなく、様々な生物（例えば、人間、魚、昆布など）を模した形状でもよい。例えば、沈体１の形状が人間の場合、本体１０の部分を身体とし、複数のフィン２０の部分を頭部または四肢として用いてもよい。
【００２９】
当該技術分野の当業者が実施できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００３０】
１、１ａ  沈体
１０、１０ａ  本体
１１  外部
１２  内部
２０、２０ａ  フィン
７０、７０ａ  リング
８０、８０ａ  切欠き
【図１】
0003156514.tif 000003
【図２】
0003156514.tif 000004
【図３】
0003156514.tif 000005
【図４】
0003156514.tif 000006
【図５】
0003156514.tif 000007